(57)【要約】      （修正有）【課題】ガイドレール内をシャッターカーテンが摺動する際に十分な滑り効果を発揮するとともに、風等によるシャッターカーテンの煽りがある場合、ガイドレールとの間で風打音が発生するのを防止する消音構造を提供する。【解決手段】ガイドレール１の摺動溝内にあって、ガイドレール１とシャッターカーテン２との間に位置する箇所に押え板５を配置し、押え板５にはガイドレール１を貫通する支持棒７を取付け、支持棒７の先端に磁石８を固定し、この磁石８に対向する位置に、ガイドレール１外側に設けられた駆動軸１２に固定された同極や異極の磁石１３，１４が移動して来るように構成し、押え板５に取付けられた磁石８と同極の磁石１３が対向位置に来た場合は磁石の反発力により、異極の磁石１４が来た場合は吸引力により、押え板５がガイドレール１との間でシャッターカーテン２を押圧、開放する。【選択図】図２
2014084618.tif 000002
【特許請求の範囲】
【請求項１】
ガイドレールの摺動溝内にあって、シャッターカーテンをガイドレールのガイド面と押え板で挟む位置に前記押え板を配置し、前記押え板に取付けた1個以上の磁石Ａとこの磁石Ａに対向する各位置に他の磁石Ｂ、Ｃを駆動させることにより、前記磁石Ａ、Ｂ、Ｃ間の吸引、反発力により、前記押え板でシャッターカーテンを押圧、開放するようにしたことを特徴とするシャッターカーテンの消音構造。
【請求項２】
押え板は平板形状である請求項１記載のシャッターカーテンの消音構造。
【請求項３】
押え板はコの字形状である請求項１記載のシャッターカーテンの消音構造。
【請求項４】
磁石Ｂ、Ｃは水平に離して、極性が異なるように駆動軸に配置したことを特徴とする請求項１から請求項３記載のいずれかのシャッターカーテンの消音構造。
【請求項５】
磁石Ｂ、Ｃは垂直に離して、極性が異なるように駆動軸に配置したことを特徴とする請求項１から請求項３記載のいずれかのシャッターカーテンの消音構造。
【請求項６】
ガイドレールの摺動溝内にあって、シャッターカーテンをガイドレールのガイド面と押え板で挟む位置に前記押え板を配置し、前記押え板とガイドレールとの間にバネを介して磁性体を取付け、この磁性体に対向する位置に磁石を駆動させ、前記磁性体を吸引、開放することにより、前記押え板を介してシャッターカーテンを押圧、開放するようにしたことを特徴とするシャッターカーテンの消音構造。
【発明の詳細な説明】
【技術分野】
【０００１】
本発明は、シャッターカーテンが閉鎖状態にあるとき、シャッターカーテンが風圧などで振動することにより、ガイドレールとシャッターカーテンとの間で発生する衝撃音を消すための消音構造に関するものである。
【背景技術】
【０００２】
従来のシャッターカーテンの消音構造には、ポリエチレンなどの高分子材料からなる消音帯を、シャッターカーテンが振動した際にガイドレールと接するガイドレール面側に固定した構造が採用されており、風などによるシャッターカーテンの振動に際して、ガイドレールとシャッターカーテンとの間の衝撃音を前記消音帯が低減するのを期待している。
【先行技術文献】
【特許文献】
【０００３】
【特許文献１】特開平０８−２８１６４
【特許文献２】特開２００１−１８２４６１
【特許文献３】実開平０６−８２３９０
【発明の概要】
【発明が解決しようとする課題】
【０００４】
しかしながら、上述した従来の消音帯は、常時ガイドレールに固定されているので、シャッターカーテンの摺動のためにシャッターカーテンと消音帯の間に隙間を有しており、また、太陽光、暴風雨あるいは温度変化の影響による劣化や、シャッターカーテンの開閉の際に摺動接触し、このシャッターカーテンの開閉が繰返される過程で消音帯が摩耗や破損し、あるいは消音帯が変形を起こすという欠点がある。
そのため、この消音帯とシャッターカーテンとの間において、シャッターカーテンを閉じた状態で、風の煽りによる風打音が発生して、十分な消音効果を維持できなくなるという問題がある。
【課題を解決するための手段】
【０００５】
本発明は、上記課題を解決するために成されたもので、ガイドレールのシャッターカーテンを通す摺動溝幅はシャッターカーテンの厚さに対して十分な余裕を有し、シャッターカーテンが摺動する際には十分な滑り効果を発揮し、シャッターカーテンが閉じた状態ではシャッターカーテンの両端を押えて固定するため、風打音が発生するのを防止できる。
本発明の請求項１の風の煽りによるシャッターカーテンとガイドレールの衝撃音を防止する方法は、前記シャッターカーテンをガイドレールとガイドレールの摺動溝内に設けた押え板で前後から押圧して、シャッターカーテンとガイドレールとの間で風打音が発生するのを防止できるようにしたシャッターカーテンの消音構造を提供しようとするものである。前記押え板は、磁石の力を利用してシャッターカーテンを押えたり開放したりするように構成して居る。
このため、本発明では、ガイドレールの摺動溝内にあって、ガイドレールとシャッターカーテンとの間に位置する箇所に押え板を配置し、押え板にはガイドレールを貫通する支持棒を設け、支持棒の先端に磁石Ａを取付け、この磁石Ａに対向する位置に、ガイド
レール外側に設けられ駆動軸に固定された異極の磁石Ｂや同極の磁石Ｃが移動して来るように構成されている。押え板に取付けられた磁石Ａと異極の磁石Ｂが対向位置に来た場合は磁石の吸引力により、同極の磁石Ｃが対向位置に来た場合は反発力により、押え板はガイドレールとの間でシャッターカーテンを開放したり押圧して、シャッターカーテンがガイドレール内をスムーズに摺動したり、シャッターカーテンの両端を固定して風打音が発生するのを防止したりするように形成したことを特徴としている。
【０００６】
本発明の請求項２の風の煽りによるシャッターカーテンとガイドレールの衝撃音を防止する方法は、ガイドレールとガイドレールの摺動溝内に設けた平板状の押え板で、前記シャッターカーテンを前記ガイドレールに押圧し、風打音が発生するのを防止するようにしたシャッターカーテンの消音構造を提供するものである。前記平板状の押え板は、磁石の吸引、反発力を利用してシャッターカーテンを押えたり開放したりするように構成して居る。
このため、本発明では、ガイドレールの摺動溝内にあって、ガイドレールとシャッターカーテンとの間に位置する箇所に平板状の押え板を配置し、平板状の押え板にはガイドレールを貫通する支持棒を設け、支持棒の先端に磁石Ａを取付け、前記磁石Ａに対向する位置に、ガイドレール外側に設けられ駆動軸に固定された異極の磁石Ｂや同極の磁石Ｃが移動して来るように構成されている。平板状の押え板に取付けられた磁石Ａと異極の磁石Ｂが対向位置に来た場合は磁石の吸引力により押え板はシャッターカーテンから離れる方向に動き、シャッターカーテンはガイドレール内をスムーズに摺動するように形成し、同極の磁石Ｃが対向位置に来た場合は反発力により押え板はシャッターカーテンを押圧する方向に動き、シャッターカーテンの両端を固定して風打音が発生するのを防止したりするように形成したことを特徴としている。
【０００７】
本発明の請求項３の風の煽りによるシャッターカーテンとガイドレールの衝撃音を防止する方法は、ガイドレールとガイドレールの摺動溝内にコの字状の押え板を設け、コの字状の押え板の一辺で前記シャッターカーテンを前記ガイドレールに押圧し、風打音が発生するのを防止するようにしたシャッターカーテンの消音構造を提供するものである。前記コの字状の押え板は、磁石の吸引、反発力を利用してシャッターカーテンを押えたり開放したりするように構成して居る。
このため、本発明では、ガイドレールの摺動溝内にあって、ガイドレールとシャッターカーテンとの間にシャッターカーテンの端部がコの字に入り込むようにコの字状の押え板を配置し、コの字状の押え板にはガイドレールを貫通する支持棒を設け、支持棒の先端に磁石Ａを取付け、前記磁石Ａに対向する位置に、ガイドレール外側に設けられた駆動軸に固定された異極の磁石Ｂや同極の磁石Ｃが移動して来るように構成されている。コの字状の押え板に取付けられた磁石Ａと異極の磁石Ｂが対向位置にきた場合は、磁石の吸引力により押え板はシャッターカーテンを押圧する方向に動き、シャッターカーテンの両端を固定して風打音が発生するのを防止し、異極の磁石Ｃが対向位置に来た場合は反発力により押え板はシャッターカーテンをガイドレールから離す方向に動き、シャッターカーテンはガイドレール内をスムーズに摺動するように形成したことを特徴としている。
【０００８】
本発明の請求項４の風の煽りによるシャッターカーテンとガイドレールの衝撃音を防止する方法は、ガイドレール外側に設けられた駆動軸に、所定の角度で水平に離して、極性が異なる磁石Ｂ、Ｃを固定している。駆動軸は垂直には動かず、水平方向に回転するように構成されており、押え板の支持棒先端に設けた磁石Ａの対抗する位置に、異極や同極の磁石Ｂ、Ｃを移動するには、駆動軸を所定の角度、水平方向に回転するように構成している。
このため、本発明では、押え板側に取付けられた磁石Ａと異極の磁石Ｂが対向位置に来た後、同極の磁石Ｃを磁石Ａの対抗位置に移動させるには、駆動軸を所定の角度、水平方向に回転させる。駆動軸の回転は、モーターによる電動式としてもよく、駆動軸にハ
ンドルを付けて手動式としてもよい。
【０００９】
本発明の請求項５の風の煽りによるシャッターカーテンとガイドレールの衝撃音を防止する方法は、ガイドレール外側に設けられた駆動軸に、所定の寸法を垂直方向に離して、極性が異なる磁石Ｂ、Ｃを固定している。駆動軸は垂直方向に上下するように構成されており、押え板の支持棒先端に設けた磁石Ａの対抗する位置に、異極や同極の磁石Ｂ、Ｃを移動するには、駆動軸を上下垂直方向に動かすように構成している。
このため、本発明では、押え板側に取付けられた磁石Ａと異極の磁石Ｂが対抗位置に来た後、同極の磁石Ｃを磁石Ａの対抗位置に移動させるには、駆動軸を所定の寸法垂直方向に移動させる。駆動軸の垂直移動は、モーターによる電動式としてもよく、駆動軸にハンドルを付けて手動式としてもよい。
【００１０】
本発明の請求項６の風の煽りによるシャッターカーテンとガイドレールの衝撃音を防止する方法は、ガイドレールの摺動溝内にあって、シャッターカーテンをガイドレールのガイド面と押え板で挟む位置に前記押え板を配置し、この押え板でシャッターカーテンをガイドレールに押圧し、風打音が発生するのを防止できるようにしたシャッターカーテンの消音構造を提供するものである。前記押え板は、バネと磁石の力を利用してシャッターカーテンを押えたり開放したりするように構成して居る。
このため、本発明では、ガイドレールの摺動溝内にあって、ガイドレールとシャッターカーテンとの間に位置する箇所に押え板を配置し、押え板にはガイドレールを貫通した支持棒を設け、支持棒の先端に磁性体を取付けると共に、押え板とガイドレールの間にバネを配置している。押え板の形状は、平板状、またはコの字状で構成する。
前記磁性体に対向する位置には、ガイドレール外側に設けられた駆動軸に固定された磁石Ｂが移動して来るように構成している。押え板に支持棒を介して取付けられた磁性体と対向する位置に磁石Ｂが来た場合、磁石Ｂの吸引力により押え板はガイドレール側に引っ張られ、磁石Ｂが磁性体からは慣れた場合、押え板はバネの力によりガイドレールから離れる。このような押え板の動きにより、押え板とガイドレールの間でシャッターカーテンを押圧したり開放して、シャッターカーテンの両端を固定して風打音が発生するのを防止したり、シャッターカーテンがガイドレール内をスムーズに摺動するように形成したことを特徴としている。
【発明の効果】
【００１１】
従って、シャッター装置の開閉に際しては、押え板はシャッターカーテンから離れており、シャッターカーテンはガイドレールに沿ってスムーズな開閉動作を行うことが出来、シャッターカーテンが閉まっている場合は、押え板によりシャッターカーテンをガイドレールに押圧しているので、風の煽りを受けてもシャッターカーテンとガイドレールとの間で風打音が発生することはない。
本発明は、以上述べたように、押え板はガイドレールの摺動溝内にあって、シャッターカーテンとガイドレールの間に位置し、シャッターカーテンの摺動に際してはシャッターカーテンから離れた位置にあり、シャッターカーテンと接触することは無い。また、シャッターカーテンが閉まっている場合は、シャッターカーテンをガイドレールに押圧している。押え板は硬質の高分子材料、または金属より成り、ガイドレール内にあるので太陽光の影響は受けず、長期間の使用によっても劣化することは無い。
【図面の簡単な説明】
【００１２】
【図１】本発明の一実施例を示すシャッター装置の側面図である。
【図２】図１のＡ−Ａ線に沿う実施例の断面図である。
【図３】図１のＡ−Ａ線に沿う他の実施例の断面図である。
【図４】図１のＡ−Ａ線に沿うバネと磁石を使った実施例の断面図である。
【図５】本発明の駆動軸が垂直に動く実施例を示す側面図である。
【図６】従来のシャッター装置の正面図である。
【発明を実施するための形態】
【００１３】
次に、本発明を実施するための形態について、図面を参照しながら具体的に説明する。ただし、以下に示す実施例は、本発明の技術思想を具体化するためのシャッター装置の一例を示すものであって、以下のものに特定するものでない。
図６は従来のシャッター装置の正面図である。図において、符号１は建物躯体（図示せず）に取付けられたガイドレールであり、シャッターケース３から引出されたシャッターカーテン２の両側部を、その摺動溝（ガイド溝）４内に案内している。
【実施例】
【００１４】
図１は本発明の一実施例を示すシャッター装置の側面図である。図に示すように、ガイドレール１の外側には、モーター１１を設け、このモーター１１で駆動される駆動軸１２は軸に対して水平方向に回転する。駆動軸１２には、駆動軸１２に固定される側と反対面の磁石極が異極になる様に磁石Ｂ１３と磁石Ｃ１４を、同一水平面で水平方向に９０度の角度離して取付けている。磁石Ａ８はガイドレール１の長さにより複数個取り付けられている。磁石Ｂ１３と磁石Ｃ１４も駆動軸１２の軸方向に、磁石Ａ８と対向する各位置に取付けられている。駆動軸１２は複数個の軸ガイド１５で回転自在に保持されている。
図示していないが、モーター１１をＯＮ、ＯＦＦするスイッチがあり、シャッターカーテン２が停止した任意の位置でスイッチを押すことにより、モーター１１を動作させることが出来、駆動軸１２を回転して磁石Ａ８に対し、磁石Ｂ１３、磁石Ｃ１４を対向させる位置に駆動することが出来る。
【００１５】
図２（ａ），（ｂ）は図１に示すガイドレールを含むＡ−Ａ断面図であり、本発明の請求項２の実施例を示している。シャッターカーテン２の摺動に際しての、ガイドレール１とシャッターカーテン２との間の衝撃音を消すため、ガイドレール１の摺動溝４内に押え板５を設けている。押え板５のシャッターカーテン２と対向する面には弾性体のクッション材９を取付けてある。押え板５には、ガイドレール１の貫通穴６を通してストッパー１０を有する支持棒７を取付け、ガイドレール１の外側で、前記支持棒７の先端に磁石Ａ８を取付けている。
磁石Ｂ１３は磁石Ａ８と相互の対向面が異極に配置されており、相互の磁石が対向位置にあるときには吸引力が働く。図２（ａ）はこの状態を示しており、磁石Ａ８は磁石Ｂ１３に引き付けられており、同時に押え板５はガイドレール１側に引き寄せられており、シャッターカーテン２から離れているので、シャッターカーテン２は自由にガイドレール１の摺動溝４のガイド面２０に沿って移動することが出来る。図２（ｂ）は磁石Ａ８と同極の磁石Ｃ１４が対向位置ある状態を示しており、磁石Ａ８は磁石Ｃ１４と反発しており、同時に押え板５はガイドレール１から離れ、シャッターカーテン２を押圧しているので、シャッターカーテン２はガイドレール１のガイド面２０と押え板５により挟持されるので、シャッターカーテン２は両端が固定され、風の煽りを受けてもシャッターカーテン２とガイドレール１との間で風打音が発生することはない。
【００１６】
図３（ａ），（ｂ）は図１のガイドレールを含むＡ−Ａ断面図であり、本発明の請求項３の実施例を示している。シャッターカーテン２の摺動に際しての、ガイドレール１とシャッターカーテン２との間の衝撃音を消すため、ガイドレール１の摺動溝４内にコの字状の押え板２５を設けている。押え板２５のシャッターカーテン２と対向する一辺には弾性体のクッション材２８を取付けてある。押え板２５のクッション材２８を取付けていない対向する他辺には、ガイドレール１の貫通穴６を通して支持棒７を取付け、ガイドレ
ール１の外側で、前記支持棒７の先端に磁石Ａ８を取付けている。
磁石Ｃ１４は磁石Ａ８と相互の対向面が同極に配置されており、相互の磁石が対向位置にあるときには反発力が働く。図３（ａ）はこの状態を示しており、磁石Ａ８は磁石Ｃ１４と反発しており、同時に押え板２５はシャッターカーテン２から離れているので、シャッターカーテン２は自由にガイドレール１の摺動溝４のガイド面２０に沿って移動することが出来る。支持棒７には、押え板２５がシャッターカーテン２に接触しない適正な位置を越えて動かないようにストッパー１０が設けられており、ガイドレール１にストッパー１０が当って固定される。
図３（ｂ）は磁石Ａ８と異極の磁石Ｂ１３が対向位置にある状態を示しており、磁石Ａ８は磁石Ｂ１３に吸引されており、同時に押え板２５の一面がガイドレール１のガイド面２０にシャッターカーテン２を押圧しているので、シャッターカーテン２はガイドレール１とクッション材２８を介して押え板２５の一面により挟持され、シャッターカーテンは両端が固定されるので、風の煽りを受けてもシャッターカーテン２とガイドレール１との間で風打音が発生することはない。
【００１７】
請求項４記載の駆動軸１２が軸に対して水平方向に回転し、同一水平面で水平方向に９０度の角度離して磁石Ｂ１３、磁石Ｃ１４を配置した例を図１、図２、図３に示す。
【００１８】
図４（ａ），（ｂ）は図１のガイドレールを含むＡ−Ａ断面相当図であり、本発明の請求項６の実施例を示している。但し、図１は駆動軸１２に磁石Ｂ１３、磁石Ｃ１４を取付けているが、図４の発明では磁石Ｂ１３のみで磁石Ｃ１４は取付けていない。シャッターカーテン２の摺動に際しての、ガイドレール１とシャッターカーテン２との間の衝撃音を消すため、ガイドレール１の摺動溝４内に押え板３５を設けている。押え板３５のシャッターカーテン２と対向する面には弾性体のクッション材３８を取付けている。押え板３５とガイドレール１の間に押しバネ３３を挟み、ガイドレール１の貫通穴６を通して支持棒３７を取付けガイドレール１の外側で、前記支持棒３７の先端に磁性体３６、例えば鉄材等を取付けている。
磁石Ｂ１３が磁性体３６と対向位置にあるときには吸引力が働く。図４（ａ）はこの状態を示しており、磁性体３６は磁石Ｂ１３に引き付けられ、押しバネ３３は圧縮されており、同時に押え板３５はガイドレール１側に引き寄せられてシャッターカーテン２から離れているので、シャッターカーテン２は自由にガイドレール１の摺動溝４のガイド面２０に沿って移動することが出来る。図４（ｂ）は磁性体３６に対して磁石Ｂ１３が対向位置から離れた状態にある場合を示しており、磁性体３６は磁石Ｂ１３の吸引力から開放され、同時に押しバネ３３は伸びて、押え板３５は押しバネ３３によりガイドレール１から離れ、シャッターカーテン２を押圧するので、シャッターカーテン２はガイドレール１のガイド面２０と押え板３５により両端を挟持、固定されるので、風の煽りを受けてもシャッターカーテン２とガイドレール１との間で風打音が発生することはない。
【００１９】
図４において、平板の押え板３５の代わりに図３に示したようなコの字状の押え板を使用し、押しバネ３３の変わりに引きバネを使用しても同様の効果を得ることが出来る。
バネの形状はツル巻バネ以外に板バネ等の他の種類のバネとしても良い。
【００２０】
図５は請求項５記載の実施例を示すもので、駆動軸１２は垂直方向に上下するように構成している。このため、磁石Ｂ１３、磁石Ｃ１４は駆動軸１２の垂直方向に離して、磁石Ｂ１３を上部にその下方に磁石Ｃ１４が固定している。
磁石Ｂ１３は磁石Ａ８と相互の対向面が異極に配置されており、相互の磁石が対向
位置にあるときには吸引力が働く。図５（ａ）はこの状態を示しており、磁石Ａ８は磁石Ｂ１３に引き付けられている。図２の押え板５が平板からなる構成（磁石Ｃ１４が水平に取り付けられている点は異なる）では、図２（ａ）相当の状態を示しており、押え板５はガイドレール１側に引き寄せられて、シャッターカーテン２から離れているので、シャッターカーテン２は自由にガイドレール１の摺動溝４に沿って移動することが出来る。図５（ｂ）は駆動装置２１で駆動軸１２を引き上げた状態である。磁石Ａ８と同極の磁石Ｃ１４が対向位置にあり、磁石Ａ８は磁石Ｃ１４と反発している。図２の押え板５が平板からなる構成では、図２（ｂ）相当の状態を示しており（磁石Ｃ１４が水平に取り付けられている点は異なる）、同時に押え板５はガイドレール１から離れ、シャッターカーテン２を押圧しているので、シャッターカーテン２はガイドレール１と押え板５により両端を挟持され、固定される。
【００２１】
コの字形状の押え板２５を使用した図３の例において、図５記載の駆動軸１２を垂直方向に上下するように構成しても、駆動軸１２が回転する場合と同様な作用をする。
相互の磁石が異極で対向位置にあるときには吸引力が働く。図５（ａ）はこの状態を示しており、磁石Ａ８は磁石Ｂ１３に引き付けられている。図３（ｂ）相当の状態を示しており（磁石Ｃ１４が水平に取り付けられている点は異なる）、押え板２５は、シャッターカーテン２を押圧しているので、シャッターカーテン２はガイドレール１のガイド面２０と押え板２５により両端を挟持され、固定される。
図５（ｂ）はモーター２１で駆動軸１２を引き上げた状態である。磁石Ａ８と同極の磁石Ｃ１４が対向位置にあり、磁石Ａ８は磁石Ｃ１４と反発している。図３（ａ）の状態を示しており（磁石Ｃ１４が水平に取り付けられている点は異なる）、同時に押え板２５はシャッターカーテン２から離れで、シャッターカーテン２は自由にガイドレール１の摺動溝４に沿って移動することが出来る。
【００２２】
同様に、図５記載の駆動軸１２を垂直方向に上下するように構成したものを、駆動軸１２に固定する磁石を１グループ１個にして、請求項６の構造に適用できることは言うまでもない。
【００２３】
以上述べたように、ガイドレール１の摺動溝４内に挿入されたシャッターカーテン２は、摺動時には押え板５や押え板２５や押え板３５がシャッターカーテン２から離れ、シャッターカーテン２とガイドレール１との間に摺動に必要な十分な隙間を確保されるので、自在に摺動できるようになっている。
一方、シャッターカーテン２を閉めた状態では、磁石相互間の吸引、反発力やバネのバネ力により、押え板５や押え板２５や押え板３５を介してシャッターカーテン２をガイドレール１に押圧し強固に固定するので、風の煽りを受けてもシャッターカーテン２はガイドレール１との間で風打音が発生することがない。
【産業上の利用可能性】
【００２４】
上記各実施例は、本発明のシャッターカーテン２の防音構造例を説明したが、電動式シャッター装置、手動巻き上げ式シャッター装置、また、重量シャッターやパイプシャッター、各種の巻き上げ式シャッターなど各種のシャッター装置に適応できることは言うまでもない。
【符号の説明】
【００２５】
１  ガイドレール
２  シャッターカーテン
３  シャッターケース
４  摺動溝
５  押え板（平板形）
６  貫通穴
７  支持棒
８  磁石Ａ
９  クッション材
１０  ストッパー
１１  モーター
１２  駆動軸
１３  磁石Ｂ
１４  磁石Ｃ
１５  軸ガイド
２０  ガイド面
２１  駆動装置
２５  押え板（コの字形）
２８  クッション材
３３  押しバネ
３５  押え板（平板形）
３６  磁性体
３７  支持棒
３８  クッション材
【図１】
2014084618.tif 000003
【図２】
2014084618.tif 000004
【図３】
2014084618.tif 000005
【図４】
2014084618.tif 000006
【図５】
2014084618.tif 000007
【図６】
2014084618.tif 000008